(57)【要約】    【課題】  絆創膏２と針体４とを固定する強度を確保しつつ針体４を保護する。    【解決手段】  剥離紙３の中央部に形成された貫通孔６を横断する切り込み線７を形成して、剥離紙３を第１剥離紙８及び第２剥離紙９の２つに分割する。切り込み７線は、その中間部（貫通孔切り込み部７ａ）で貫通孔６を横断し、両端部（直線切り込み部７ｅ）が貫通孔６からオフセットした位置で直線状をなし、両端部に対して中間部が凸をなす。この凸部（貫通孔切り込み部７ａ及び斜め切り込み部７ｃ）は、台形形状をなす。【選択図】  図２
2005211585.tif 000002
【特許請求の範囲】
【請求項１】
一方の面が粘着面をなす絆創膏と、この絆創膏の粘着面側に剥離可能に貼り付けられて、切り込み線により大小２つに分割され、大きい側が支持体に固着される剥離紙と、基端側が前記絆創膏の他方の面側に固定され、先端側が前記絆創膏及び前記剥離紙の貫通孔から突出する針体と、を含んで構成される円皮針において、
前記剥離紙の切り込み線の中間部を大きい側の剥離紙側に凸として、切り込み線の中間部を前記貫通孔を横断させて形成したことを特徴とする円皮針。
【請求項２】
前記凸部は、台形形状をなすことを特徴とする請求項１記載の円皮針。
【発明の詳細な説明】
【技術分野】
【０００１】
本発明は、鍼灸に用いられる円皮針に関する。
【背景技術】
【０００２】
円皮針（パイオネックス）は、針体と絆創膏とからなり、身体に貼る鍼である。
特許文献１には、円皮針において、一方の面が粘着面をなす絆創膏と、この絆創膏の粘着面側に剥離可能に貼り付けられる剥離紙と、基端側が絆創膏の他方の面側に固定され、先端側が絆創膏及び剥離紙の貫通孔（中央孔）から突出する針体と、を含んで構成されることが記載されている。なお、剥離紙は、切り込み線により貫通孔を有する側（大きい側の剥離紙）と有しない側（小さい側の剥離紙）とに２分割されることが記載されている。
【特許文献１】特開２０００−５１３１５号公報
【発明の開示】
【発明が解決しようとする課題】
【０００３】
しかしながら、特許文献１に記載の円皮針では、剥離紙が貫通孔を有する側と有しない側とに２分割されていたため、針体が長い場合において貫通孔を有しない側の剥離紙とこの部分に粘着された絆創膏とを指で把持して一緒に捲り上げることで、貫通孔を有する側の剥離紙（収納容器）から円皮針を分離する際、針体の先端が剥離紙の貫通孔に接触してしまい、針体の先端への異物の付着や針体を損傷する原因となっていた。
【０００４】
ここで、絆創膏及び剥離紙の貫通孔の径が小さいほど絆創膏と針体とを固定する強度が強くなるが、針体が長い場合には貫通孔の直径を拡大しなければならないため、絆創膏と針体とを固定する強度が低下してしまうという問題があった。
本発明は、このような問題に着目してなされたもので、絆創膏と針体とを固定する強度を確保しつつ針体を保護することを目的とする。
【課題を解決するための手段】
【０００５】
そのため本発明では、剥離紙の切り込み線の中間部を大きい側の剥離紙側に凸として、切り込み線の中間部を前記貫通孔を横断させて形成した。
【発明の効果】
【０００６】
本発明によれば、切り込み線の中間部により、剥離紙の貫通孔が２つの剥離紙に含まれて分割されるため、小さい側の剥離紙とこの部分に粘着された絆創膏とを指で把持して一緒に捲り上げることで、円皮針を大きい側の剥離紙（収納容器）から分離する際、針体の先端の軌跡上には貫通孔がなくなり、貫通孔を通過させる動作がなくなるため、針体が剥離紙に接触することによる異物の付着及び損傷を防止することができるという効果がある。
【発明を実施するための最良の形態】
【０００７】
ここで、本発明の円皮針１について図１〜図３を用いて詳細に説明する。
図１は、本発明の円皮針１の断面図である。図２は、図１のＡ−Ａ線における平面図である。図３は、円皮針１の剥離紙３の貫通孔６を含むように剥離紙３を第１剥離紙８及び第２剥離紙９の２つに分割して第２剥離紙９とこの部分に粘着する絆創膏２とを指で把持して捲り上げることにより円皮針１を第１剥離紙８（支持体としての収納容器１１）から分離する状態を示す断面図である。
【０００８】
円皮針１は、大別して、絆創膏２と、剥離紙３と、針体４とを含んで構成され、収納容器１１に収納される。
絆創膏２は、円形であり、中央部に貫通孔５を有し、上面２ａには針体４の基端側が固定されている一方、下面２ｂには粘着面が形成されている。
剥離紙３は、絆創膏２より直径が大きい円形であり、中央部に貫通孔６を有し、上面３ａが絆創膏２の粘着面２ｂ側に剥離可能に貼り付けられる。
【０００９】
この剥離紙３には、図２に示すように、剥離紙３の貫通孔６を横断する切り込み線７が形成されている。
切り込み線７は、平面視（図２）において、切り込み線７の中間部で貫通孔６を横断し、両端部が貫通孔６からオフセットした位置で直線状をなし、両端部に対し中間部が凸をなしている。この切り込み線７により、剥離紙３は、第１剥離紙８と第２剥離紙９との大小２つに分割される。
【００１０】
なお、第１剥離紙８及び第２剥離紙９には、貫通孔６が半分ずつ形成されている。更に、第１剥離紙８の下面は、後述する収納容器１１の剥離紙配置部１６の上面１６ａに熱溶着されている。
剥離紙３の切り込み線７は、その中間部で、貫通孔６から、円形の樹脂材１０の外径と同じ位置まで上下方向にそれぞれ切り込まれる貫通孔切り込み部７ａを含んでいる。この貫通孔切り込み部７ａにより、第２剥離紙９の貫通孔６側の先端部には第１直線部９ａが形成される。
【００１１】
そして、切り込み線７は、その両端部が貫通孔６からオフセットした位置に直線状に切り込まれる直線切り込み部７ｅを含んで形成している。直線切り込み部７ｅは、貫通孔切り込み部７ａと平行に形成されている。この直線切り込み部７ｅにより、第２剥離紙９には第２直線部９ｅが形成される。この第２直線部９ｅ（直線切り込み部７ｅ）は、図２に示す通り、剥離紙３の第１剥離紙８及び第２剥離紙９の両側に形成された円形の切り欠き３ｃまで形成されている。
【００１２】
更に、切り込み線７は、貫通孔切り込み部７ａの外端７ｂ（第１直線部９ａの外端９ｂ）から直線切り込み部７ｅの内端７ｄ（第２直線部９ｅの内端９ｄ）まで、それぞれ径方向外側に円周方向所定角度で切り込まれる２つの斜め切り込み部７ｃを含んでいる。この斜め切り込み部７ｃにより、第２剥離紙９には傾斜部９ｃが形成される。
なお、傾斜部９ｃ（斜め切り込み部７ｃ）は、直接貫通孔６を含んで形成するようにしてもよい。
【００１３】
このようにして、切り込み線７の凸部は、貫通孔切り込み部７ａ及び斜め切り込み部７ｃにより台形形状または三角形状をなす。
なお、第２直線部９ｅ（直線切り込み部７ｅ）の形成される位置は、後述する容器本体１２の剥離紙配置部１６に形成された折り曲げ溝１８と一致している。
針体４は、ステンレス鋼等で構成されており、Ｌ字状に屈曲形成されている。その基端（上端）側は、絆創膏２の非粘着面側である上面２ａ側に樹脂材１０により覆われることで固定されている。
【００１４】
一方、針体４の先端（下端）側は、絆創膏２及び剥離紙３に形成された貫通孔５，６から突出している。この突出した部分により、針体４を皮下に刺通可能となる。針体４の突出部の長さは適宜決められる。
円皮針１を収納する収納容器１１は、容器本体１２と、シールシート１３とから構成される。容器本体１２は、プラスチック等により形成され、鍔部１４と、筒部１５と、剥離紙配置部１６と、針体収納部１７とから構成される。
【００１５】
剥離紙配置部１６は、剥離紙３より直径の大きい略円形板状であり、この略中央部には図４の下側に突出する円筒状の針体収納部１７が形成されている。そして、剥離紙配置部１６は、切り込み線７が形成されている第２剥離紙９側が大きく形成され、この部分が、円皮針１を取り出す際において第２剥離紙９とこの部分に粘着された絆創膏３とを一緒に把持するために指を入れる部分となる。
【００１６】
剥離紙配置部１６の上面１６ａは、第１剥離紙８の下面の外周近傍においてのみ第１剥離紙８と熱溶着されている。そして図１に示す通り、剥離紙配置部１６には、剥離紙３の第２直線部９ｅと同じ位置に下から上に向かうＶ字状の折り曲げ溝１８が形成されている。この折り曲げ部１８は、図２では、剥離紙配置部１６の裏側に剥離紙３の第２直線部９ｅと同じ位置に形成されている。
【００１７】
剥離紙配置部１６の外端には、筒部１５が形成されている。この筒部１５の下面１５ｂは、針体収納部１７の下面と面一になるように形成されている。
筒部１５の上端には、径方向外側に広がるように鍔部１４が形成されている。この鍔部１４の上面１４ａには、シールシート１３が剥離可能に貼り付けられている。これにより円皮針１を収納容器１１内に密封して収納可能とする。
【００１８】
次に、図３に示すように、円皮針１を第１剥離紙８（支持体としての収納容器１１）から分離する状態について説明する。
円皮針１を第１剥離紙８（収容容器１１）から分離するには、先ず、シールシート１３を容器本体１２から剥がす。そして、図１に示す剥離紙配置部１６の折り曲げ溝１８において容器本体１２の右側を時計周りに折り曲げる。更に、第２剥離紙９とこの部分に粘着する絆創膏２とを指で掴み、第１剥離紙８のＢ点を支点として第２剥離紙９を絆創膏２と共に反時計回りに捲り上げる。
【００１９】
ここで剥離紙３には、切り込み線７により剥離紙３の貫通孔５が第１剥離紙８及び第２剥離紙９にそれぞれ含まれて分割されるため、針体４の先端の軌跡上には貫通孔６（第２剥離紙９）がなくなる。
すなわち、切り込み線７の凸部（貫通孔切り込み部７ａ及び斜め切り込み部７ｃ）は、台形形状または三角形状をなしているため、これに対応する形状を有する第２剥離紙９（第１直線部９ａ及び傾斜部９ｃ）の先端部が針体４を保持した状態のまま、円皮針１を第１剥離紙８（収納容器１１）から分離可能となる。これにより、貫通孔６を通過させる動作がなくなるため、針体４が剥離紙３に接触することによる異物の付着及び損傷を防止する。
【００２０】
そして、円皮針１を収納容器１１から取り外した後に円皮針１の針体４を皮下に刺通させる際には、第２剥離紙９の先端部である第１直線部９ａを、刺通させる部位に針体４の位置を合わせると共に、第１剥離紙８側に貼り付けられていた絆創膏２の下面２ｂを皮膚に貼り付ける。
更に、第２剥離紙９の先端側を反時計回りに捲ることで、第２剥離紙９と粘着する部分である絆創膏２の下面２ｂを第２剥離紙９から剥離しつつ、この部分の絆創膏２を皮膚に貼り付ける。これにより、針体４を皮下に刺通した状態で円皮針１を皮膚に貼り付けることが可能となる。
【００２１】
次に、本発明の円皮針１との比較のため、従来の円皮針２１（例えば特許文献１に記載の円皮針）について図４〜図６を用いて説明する。
図４は、従来の円皮針２１の断面図である。図５は、図４のＡ−Ａ線における平面図である。図６は、従来の円皮針２１を剥離紙２３（支持体としての収納容器１１）から分離させた場合における針体４の先端の軌道を示す断面図である。なお、図１〜図３にて説明した円皮針１と同じ部分については同じ符号を付し、詳細な説明は省略する。
【００２２】
従来の円皮針２１における剥離紙２３には、図５に示す通り、貫通孔５，６より右側に縦方向に直線の切り込み線２７が形成されている。この切り込み線２７により、剥離紙２３は、中央部の貫通孔６を含む第１剥離紙２８と、貫通孔６を含まない三日月状の第２剥離紙２９とに２分割される。
円皮針２１を剥離紙２３（収容容器１１）から分離する際には、第２剥離紙２９とこの部分に粘着する絆創膏２とを指で把持し、第１剥離紙２８のＢ点を支点として第２剥離紙２９を絆創膏２と共に反時計回りに捲り上げる。
【００２３】
この際、円皮針２１の針体４が長い場合には、針体４の先端の軌道上に剥離紙２３（貫通孔６）があるため、針体４が第１剥離紙２８に接触してしまう。この結果、針体４を損傷することや針体４に異物が付着するおそれがあった。針体４が剥離紙２３に接触することを防止するためには、剥離紙２３の貫通孔６の直径を大きくすることが考えられる。
しかしながら、剥離紙２３の貫通孔６の直径を大きくすると、絆創膏２と針体４とを固定する強度が低下してしまう。
【００２４】
このため、本発明では、図１〜図３に示すように、円皮針１の剥離紙３を、貫通孔６を横断する切り込み線７を形成して第１剥離紙８及び第２剥離紙９の２つに分割することで、円皮針１の針体４が長い場合においても、円皮針４を捲り上げて剥離紙３から剥がす際に、針体４が剥離紙３に接触しないようにして、針体４を保護している。
なお、本発明の円皮針１では、絆創膏２及び剥離紙３の貫通孔５，６の径を従来の円皮針２１の貫通孔より小さくして、絆創膏２と針体４とを固定する強度を十分に確保するようにしてもよい。
【００２５】
本実施形態によれば、一方の面２ｂが粘着面をなす絆創膏２と、この絆創膏２の粘着面２ｂ側に剥離可能に貼り付けられて、切り込み線７により大小２つに分割され、大きい側（第１剥離紙８）が支持体（収納容器１１）に固着される剥離紙３と、基端側が絆創膏２の他方の面２ａ側に固定され、先端側が絆創膏２及び剥離紙３の貫通孔６から突出する針体４と、を含んで構成される円皮針１において、剥離紙３の切り込み線７の中間部（貫通孔切り込み部７ａ、斜め切り込み部７ｃ）を大きい側の剥離紙８側に凸として、切り込み線７の中間部を貫通孔６を横断させて形成した。このため、剥離紙３の貫通孔６が２つの剥離紙８，９に含まれて分割される一方、第２剥離紙９とこの部分に粘着された絆創膏２とを指で把持して捲り上げることで、円皮針１を第１剥離紙８（収納容器１１）から分離する際に、針体４の先端の軌跡上には貫通孔６（剥離紙３）がなくなり、貫通孔６を通過させる動作がなくなるため、針体４が剥離紙３に接触することによる異物の付着及び損傷を防止する。そして、貫通孔６の直径を小さくすることが可能であるため、絆創膏２と針体４とを固定する強度を十分に確保することができる。
【００２６】
また本実施形態によれば、凸部（貫通孔切り込み部７ａ及び斜め切り込み部７ｃ）は、台形形状をなす。このため、円皮針１の針体４を皮下に刺通する際に、針体４の位置を容易に合わせることができる。
【図面の簡単な説明】
【００２７】
【図１】本発明の円皮針の断面図
【図２】本発明の円皮針の平面図
【図３】本発明の円皮針を第１剥離紙（収納容器）から分離した状態を示す断面図
【図４】従来の円皮針の断面図
【図５】従来の円皮針の平面図
【図６】従来の円皮針を剥離紙（収納容器）から分離した状態を示す断面図
【符号の説明】
【００２８】
１，２１  円皮針
２  絆創膏
３，２３  剥離紙
４  針体
５，６  貫通孔
７  切り込み線
７ａ  貫通孔切り込み部
７ｂ  外端
７ｃ  斜め切り込み部
７ｄ  内端
７ｅ  直線切り込み部
８，２８  第１剥離紙
９，２９  第２剥離紙
９ａ  第１直線部
９ｂ  外端
９ｃ  傾斜部
９ｄ  内端
９ｅ  第２直線部
１１  収納容器
１３  シールシート
【図１】
2005211585.tif 000003
【図２】
2005211585.tif 000004
【図３】
2005211585.tif 000005
【図４】
2005211585.tif 000006
【図５】
2005211585.tif 000007
【図６】
2005211585.tif 000008